(57)【特許請求の範囲】
【請求項１】
施錠信号と、預け入れの際に使用するボックスの扉番号と暗証番号とが入力設定されたときと、取り出しの際に取り出すボックスの前記扉番号と前記暗証番号とが入力設定されたときとに生成される解錠信号とに基づいて作動する電気錠により複数のボックスの各々の扉を解錠及び施錠して開閉可能とした物品収納ロッカーであって、
前記解錠信号及び前記施錠信号を生成する制御手段と、
前記扉の開閉を検知して検知信号を前記制御手段へ伝達する扉開閉検知手段と、
前記ボックス内の荷物の有無を検知して検知信号を前記制御手段へ伝達する荷物有無検知手段と、を備え、
前記制御手段は、入力された数字の桁数が扉番号及び暗証番号の入力設定のために予め用意された入力可能桁数と完全に一致したことを検出する手段と、一桁以上かつ入力可能桁数未満の数字が入力され所定時間が経過したことを検出する手段と、一桁以上かつ入力可能桁数未満の桁数の入力された数字を確定する確認入力があったことを検出する手段とを有し、何れかの手段による検出があったときに前記扉番号と前記暗証番号とが入力設定されたとして前記解錠信号を生成し、前記荷物有無検知手段及び前記扉開閉検知手段の前記検知信号により、前記扉を閉めた際に前記ボックス内に荷物があることを検知して前記施錠信号を生成する
ことを特徴とする物品収納ロッカー。
【請求項２】
請求項１に記載の物品収納ロッカーにおいて、
前記ボックスから前記荷物が取り出され、前記荷物有無検知手段が荷物無し状態を検知した際には、前記制御手段がタイマの作動期間中、再度荷物有り状態を検知したときに荷物を継続して保管することを特徴とする物品収納ロッカー。
【請求項３】
請求項２に記載の物品収納ロッカーにおいて、
前記タイマは、前記電気錠に対する前記解錠信号、前記扉開閉検知手段の扉開状態の検知信号、前記荷物有無検知手段の荷物無し状態の検知信号の少なくともいずれかに基づいて作動することを特徴とする物品収納ロッカー。
【請求項４】
請求項１ないし請求項３いずれか記載の物品収納ロッカーにおいて、
前記荷物有無検知手段の検知信号に基づいて、前記荷物の有無を利用者に認識させる荷物有無認識手段を更に備えることを特徴とする物品収納ロッカー。
【発明の詳細な説明】
【０００１】
【発明の属する技術分野】
本発明は、小物等を保管する物品収納ロッカーに関する。
【０００２】
【従来の技術】
近年、各種ホテル、レジャー施設、病院等において利用者の小物等を保管するために上記物品収納ロッカーが配設されている。
【０００３】
図１９において、引用符号１は物品収納ロッカーを示しており、その物品収納ロッカー１には、個々に電気錠（不図示）を有するボックス２が横及び上下方向に複数設けられている。また、物品収納ロッカー１には、ほぼ中央に例えばボックス２の扉番号と暗証番号とを入力するための入力設定部３と、例えば扉番号を印字したレシートを発行するプリンタ装置４等とが設けられている。
【０００４】
各ボックス２には、その正面に扉開閉用摘み５、番号表示部６、及び施錠表示ランプ７が設けられており、また、入力設定部３には、使用しようとする扉番号及び利用者の決めた暗証番号を入力する複数のキーボタン８と、入力時にのみ入力した扉番号及び使用案内を点灯する番号表示部９とが設けられている。プリンタ装置４の正面のフロントパネル４ａには、印字したレシートを送出する紙片排出窓４ｂが設けられている。
【０００５】
上記構成において、利用者が入力設定部３のキーボタン８により扉番号及び暗証番号を入力して開扉した後、ボックス２内に物品（荷物）を入れて扉を閉じると、そのボックス２は施錠され、プリンタ装置４からはレシートが発行されるようになっている。また、利用者が物品（荷物）を取り出そうとする場合には、レシートに印字された扉番号と利用者の決めた暗証番号とに基づいて入力設定部３を操作し、ボックス２を解錠するようになっている。
【０００６】
【発明が解決しようとする課題】
ところで上記従来技術にあっては、利用者の物品収納ロッカー１に対する操作の認識不足により派生する問題点と、入力設定部３の操作性に関する問題点を有していた。
【０００７】
即ち前者について先ず説明すると、利用者は、荷物の預け入れの際に、荷物をボックス２内に入れて扉を閉めればそのボックス２が施錠されるのを経験しており、実際には所定時間内は何度でも扉の開け閉めが可能な待機状態となっている荷物の取り出しの際にも、単に扉を閉めれば、ボックス２の施錠がなされて使用の継続がされると誤認している恐れがある。
【０００８】
そして、その誤認した状態で例えばボックス２に預け入れた複数の荷物のうちの一つのみを取り出して扉を閉めたり、一度荷物を取り出して必要なもののみを抜き出し、再度荷物を中に入れて扉を閉めたりして上記所定時間内に物品収納ロッカー１から離れると、最悪の場合、物品（荷物）の盗難に遭ってしまうことになる。
【０００９】
次に、後者について説明すると、例えばボックス２が数十個ある場合、扉を指定するために、扉番号の入力可能な桁数として２桁用意され、一般的に一番目の扉の扉番号は″１″ではなく″０１″と表示されている。そして、入力設定部３により扉番号を入力する場合、その″０１″を入力しなければ次の操作に移ることができないようになっている。
【００１０】
従って、本来、扉番号の有効数字が上述のような一の位のみのボックス２を利用しようとする場合には、その操作が面倒となってしまうことになる。また、利用者が上述のような入力の仕方に気付かない場合では、何度も同じエラーをくり返してしまうことになる。これは暗証番号の入力においても同様で、所定の桁数の暗証番号が入力できる桁数が用意されているところに、所定桁数未満の暗証番号を入力しても入力設定することができないようになっている。
【００１１】
本発明は、上述した問題点を解消するため、扉を閉めた後、ボックス内に荷物がある場合には確実に施錠がなされ、また、利用者に対する操作性も向上した物品収納ロッカーを提供することを課題とする。
【００１２】
【課題を解決するための手段】
上記課題を解決するためなされた請求項１記載の本発明の物品収納ロッカーは、施錠信号と、預け入れの際に使用するボックスの扉番号と暗証番号とが入力設定されたときと、取り出しの際に取り出すボックスの前記扉番号と前記暗証番号とが入力設定されたときとに生成される解錠信号とに基づいて作動する電気錠により複数のボックスの各々の扉を解錠及び施錠して開閉可能とした物品収納ロッカーであって、図１の基本構成図に示される如く、前記解錠信号及び前記施錠信号を生成する制御手段２１Ａと、前記扉の開閉を検知して検知信号を前記制御手段２１Ａへ伝達する扉開閉検知手段２２Ａと、前記ボックス内の荷物の有無を検知して検知信号を前記制御手段２１Ａへ伝達する荷物有無検知手段２３Ａと、を備え、前記制御手段２１Ａは、入力された数字の桁数が扉番号及び暗証番号の入力設定のために予め用意された入力可能桁数と完全に一致したことを検出する手段と、一桁以上かつ入力可能桁数未満の数字が入力され所定時間が経過したことを検出する手段と、一桁以上かつ入力可能桁数未満の桁数の入力された数字を確定する確認入力があったことを検出する手段とを有し、何れかの手段による検出があったときに前記扉番号と前記暗証番号とが入力設定されたとして前記解錠信号を生成し、前記荷物有無検知手段２３Ａ及び前記扉開閉検知手段２２Ａの前記検知信号により、前記扉を閉めた際に前記ボックス内に荷物があることを検知して前記施錠信号を生成することを特徴としている。
【００１３】
請求項２記載の本発明の物品収納ロッカーは、請求項１に記載の物品収納ロッカーにおいて、前記ボックスから前記荷物が取り出され、前記荷物有無検知手段が荷物無し状態を検知した際には、前記制御手段がタイマの作動期間中、再度荷物有り状態を検知したときに荷物を継続して保管することを特徴としている。
【００１４】
請求項３記載の本発明の物品収納ロッカーは、請求項２に記載の物品収納ロッカーにおいて、前記タイマは、前記電気錠に対する前記解錠信号、前記扉開閉検知手段の扉開状態の検知信号、前記荷物有無検知手段の荷物無し状態の検知信号の少なくともいずれかに基づいて作動することを特徴としている。
【００１５】
請求項４記載の本発明の物品収納ロッカーは、請求項１ないし請求項３いずれか記載の物品収納ロッカーにおいて、前記荷物有無検知手段の検知信号に基づいて、前記荷物の有無を利用者に認識させる荷物有無認識手段を更に備えることを特徴としている。
【００１７】
請求項１に記載された本発明によれば、制御手段２１Ａは、入力された数字の桁数が扉番号及び暗証番号の入力設定のために予め用意された入力可能桁数と完全に一致したことを検出する手段と、一桁以上かつ入力可能桁数未満の数字が入力され所定時間が経過したことを検出する手段と、一桁以上かつ入力可能桁数未満の桁数の入力された数字を確定する確認入力があったことを検出する手段とを有し、何れかの手段による検出があったときに扉番号と暗証番号とが入力設定されたとして解錠信号を生成し、扉開閉検知手段２２Ａが扉の開閉を検知して伝達する検知信号と荷物有無検知手段２３Ａがボックス内の荷物の有無を検知して伝達する検知信号とにより、扉を閉めた際にボックス内に荷物があることを検知して施錠信号を生成するので、利用者に対する操作性の向上を図ることが可能であるとともに、例えば従来のように利用者が誤って物品収納ロッカーから離れてしまった場合でも、確実に荷物を保管することが可能である。
従って、ボックスの扉を閉めた後、そのボックス内に荷物がある場合には、確実に施錠がなされることになり、その結果、防盗性が格段に高まった物品収納ロッカーを提供することができる。
【００１８】
請求項２に記載された本発明によれば、物品収納ロッカーは、ボックスから荷物が取り出され、荷物有無検知手段２３Ａが荷物無し状態を検知した際には、制御手段２１Ａがタイマ２４の作動期間中、再度荷物有り状態を検知したときに荷物を継続して保管するようになっている。
これにより物品収納ロッカーは、再度荷物を預け入れることが可能である。そして、荷物をボックス内に入れれば、上述の如く、荷物有無検知手段２３Ａが荷物の検知をして確実に施錠がなされるので、再度の預け入れであっても確実に荷物の保管をすることが可能である。
【００１９】
請求項３に記載された本発明によれば、上記タイマ２４は、制御手段２１Ａからの電気錠に対する解錠信号、扉開閉検知手段２２Ａの扉開状態の検知信号、荷物有無検知手段２３Ａの荷物無し状態の検知信号の少なくともいずれかに基づいて作動するようになっている。
これにより、上記預け入れの待機方法や防盗対策に幅を持たせることが可能である。
【００２０】
請求項４に記載された本発明によれば、物品収納ロッカーは、荷物有無検知手段２３Ａの検知信号に基づいて、荷物の有無を利用者に認識させる荷物有無認識手段２５Ａを更に備えるようになっている。
これにより、利用者に注意を促すことが可能であり、荷物の有無を把握して荷物の預け入れ及び取り出しをより確実に行うことが可能になる。
【００２２】
【発明の実施の形態】
以下、図面を参照して本発明の一実施の形態を説明する。
図２は本発明の物品収納ロッカーの一実施の形態を示す正面図である。また、図３は図２の一ボックスの扉を開いた際の状態説明図、図４は図２の入力設定表示部の説明図、図５は図２の制御部を説明するためのブロック図を示している。
【００２３】
図２において、引用符号１１は物品収納ロッカーを示しており、その物品収納ロッカー１１には、ボックス１２が横及び上下方向に複数設けられている。また、物品収納ロッカー１１のほぼ中央には、ボックス１２の扉番号と暗証番号とを入力したりする入力設定表示部１３と、扉番号を印字したレシートを発行するプリンタ装置（以下単にプリンタと略記する）１４等とが設けられており、物品収納ロッカー１１の下部には制御部１５が配設されている。
【００２４】
上記各ボックス１２は、図３に示される如く、電気錠１６により開閉可能な扉１７を正面に有しており、その扉１７には、扉開閉用摘み１８と番号表示部１９とが設けられている。また、扉開閉用摘み１８はレンズ１８Ａを有しており、施錠表示ランプ（ＬＥＤ）２０が発光するとそのレンズ１８Ａを介して使用状態が利用者に認識できるようになっている。
【００２５】
電気錠１６は、既知構成のものであるので詳細な説明は省略するが、上記制御部１５の制御、即ち制御部１５が生成する施錠信号と解錠信号とに基づいて作動するようになっている。
【００２６】
扉１７には、その扉１７の開閉を検知する扉センサー２２（図５参照、特許請求の範囲に記載した扉開閉検知手段に相当）が設けられている。
尚、扉センサー２２自体の構成図は既知構成であるので省略する。また、扉センサー２２の代わりにスイッチをオンオフさせて開閉を検知するようにしてもよい。
【００２７】
ボックス１２内には、荷物の有無を検知する荷物センサー２３（特許請求の範囲に記載した荷物有無検知手段に相当）が設けられている。荷物センサー２３は既知構成であるのでその説明は省略する。荷物センサー２３の配置としては、当然、ボックス１２内全体を検知できるようにすることが好ましい。しかし、製造コストも考慮しなければならないことから、利用者が特に荷物を置きやすい位置に少なくとも一つの荷物センサー２３を配設することで対処するのもよい。
【００２８】
上記入力設定表示部１３は、例えば図４に示される画面構成のタッチパネル１３Ａを介して操作できるようになっている。そのタッチパネル１３Ａは、枠全体１３ａが表示エリアになっているのは勿論のこと、中枠１３ｂ及び小枠１３ｃも表示エリアとなっている。枠全体１３ａ及び中枠１３ｂには、後述する各種メッセージが表示されるようになっている。小枠１３ｃは扉番号やＩＤの入力の際に用いられるようになっている。
【００２９】
また、タッチパネル１３Ａは、″１″〜″９″及び″０″の数字からなるテンキー１３ｄと、″中止″、″訂正″及び″確認″の文字からなる中止キー１３ｅ、訂正キー１３ｆ及び確認キー１３ｇとが設けられている。
【００３０】
尚、中止キー１３ｅは、その文字の如く、タッチパネル１３Ａを介しての操作を中止するキーであり、訂正キー１３ｆは操作の訂正を行うキーである。これに対し確認キー１３ｇは、後述の扉番号又は暗証番号の確定を行うキーとなっている。
【００３１】
上記制御部１５は、図５のブロック図に示されるような構成を有しており、マイコン２１（特許請求の範囲に記載した制御手段２１Ａに相当）が備えられている。
【００３２】
マイコン２１は、ＣＰＵ（Central Processing Unit ）２１ａとＲＡＭ（Ran-dom Access Memory ）２１ｂとＲＯＭ（Read-Only Memory）２１ｃとで構成されており、そのＣＰＵ２１ａはＲＯＭ２１ｃに格納された後述の制御プログラムに基づき、ＲＡＭ２１ｂのワーキングエリア及びタイマ２４を使用して物品収納ロッカー１１（図２参照）全体の制御を行うようになっている。
【００３３】
ＣＰＵ２１ａには、上記テンキー１３ｄ、中止キー１３ｅ、訂正キー１３ｆ及び確認キー１３ｇ（図４参照）で構成される入力部２６と、上記表示エリアで構成される表示部２７と、電源供給が絶たれても格納データが失われないようにするための不揮発性メモリ（ＮＶＭ）２８とが直接接続されている。また、出力インターフェース（Ｉ／Ｆ）２９を介してプリンタ１４と警報ブザー２５（特許請求の範囲に記載した荷物有無認識手段２５Ａに相当）とが接続されるとともに、各ボックス１２（図３参照）における荷物センサー２３、扉センサー２２、電気錠１６、及び施錠表示ランプ（ＬＥＤ）２０が入力インターフェース（Ｉ／Ｆ）３０及び出力インターフェース（Ｉ／Ｆ）３１を介して接続されている。
【００３４】
尚、タイマ２４は一つのみではなく、後述の制御プログラムで説明されるように複数のタイマからなっているものとする。
【００３５】
上記構成において、ＲＯＭ２１ｃに格納された制御プログラムについて、図６ないし図１３のフローチャートを参照しながら説明するとともに、その作用及び表示部２７の画面表示（図１４ないし図１８参照）を以下であわせて説明することにする。
【００３６】
図６のメインフローチャートに示される如く、電源の投入等によって処理が開始されると、先ずステップＳ１で初期設定を行う。各種イニシャルがなされ、ボックス状態は荷物無しが認識される。また、施錠表示ランプ（ＬＥＤ）２０は消灯状態であり、そして、利用者によるモード選択があるまで待機状態となる。この時、表示部２７には、図１４（ａ）に示されるモード選択の″預け入れ″及び″取り出し″の文字が表示されている。
【００３７】
利用者によるモード選択、即ちステップＳ２で″預け入れ″又は″取り出し″のいずれかのモードが選択されると、以後、そのモードに沿った処理が進行するようになる。
【００３８】
ステップＳ２で″預け入れ″のモードが選択された場合について説明する。
先ず、ステップＳ３で扉番号入力処理を行う。そして、扉番号入力処理を終了した後、扉番号入力処理で用いたフラグＡがフラグＡ＝１となっている場合には（ステップＳ４でＹ）、扉番号入力処理にエラーが生じたものとしてステップＳ５の処置へ進行する。ステップＳ５の処置は、表示部２７に図１４（ｂ）で示されるメッセージを表示する。ステップＳ５の処置が終了すると、ステップＳ２のモード選択の待機状態となる。
【００３９】
一方、ステップＳ４でＮ、即ちフラグＡに１が立ってない場合には、扉番号入力処理が正常に行われたものとしてステップＳ６のＩＤ入力処理に進行する（表示部２７は図４の状態となっている）。そして、ＩＤ入力処理を終了した後、ＩＤ入力処理で用いたフラグＢがフラグＢ＝１となっている場合には（ステップＳ７でＹ）、ＩＤ入力処理にエラーが生じたものとしてステップＳ８の処置を行い、再度ステップＳ６のＩＤ入力処理に進行する。ステップＳ７でＮの場合には、ＩＤ入力処理が正常に行われたものとしてステップＳ９の預け入れ処理を行う。ステップＳ８の処置では、表示部２７に図１４（ｂ）で示されるメッセージを表示する。
【００４０】
次に、ステップＳ２で″取り出し″のモードが選択された場合について説明する。
先ず、ステップＳ１０で扉番号入力処理（ステップＳ３の処理と同じ）を行う。そして、扉番号入力処理を終了した後、扉番号入力処理で用いたフラグＡがフラグＡ＝１となっている場合には（ステップＳ１１でＹ）、扉番号入力処理にエラーが生じたものとしてステップＳ１２の処置へ進行する。ステップＳ１２の処置は、表示部２７に図１４（ｂ）で示されるメッセージを表示する。ステップＳ１２の処置が終了すると、ステップＳ２のモード選択の待機状態となる。
【００４１】
一方、ステップＳ１１でＮ、即ちフラグＡに１が立ってない場合には、扉番号入力処理が正常に行われたものとしてステップＳ１３のＩＤ入力処理（ステップＳ６の処理と同じ）に進行する。そして、ＩＤ入力処理を終了した後、ＩＤ入力処理で用いたフラグＢがフラグＢ＝１となっている場合には（ステップＳ１４でＹ）、ＩＤ入力処理にエラーが生じたものとしてステップＳ１５でＩＤカウンタを一つカウント（＋１）し、次のステップへ進行する。これに対しステップＳ１４の判定がＮ、即ちフラグＢに１が立ってない場合には、ＩＤ入力処理が正常に行われたものとしてステップＳ１６の取り出し処理を行う。
【００４２】
ステップＳ１５ではＩＤカウンタを一つカウントし、そして、図７のステップＳ１７に進行すると、そのステップＳ１７でＩＤカウンタがＩＤカウンタ＝３となっているか否かを判定する。３回連続の処理でなければ（ステップＳ１７でＮ、３回に限定するものではない）ステップＳ１８の処置を行い、３回連続の処理（ステップＳ１７でＹ）であればステップＳ１９の処理を行う。
【００４３】
ステップＳ１８の処置は、警報ブザー２５を介してエラー音を生じさせる。これは利用者に対して再度暗証番号の入力を促すものである（ステップＳ１３のＩＤ入力処理に戻る）。この時、表示部２７には図１４（ｂ）で示されるメッセージが表示されている。
【００４４】
ステップＳ１７で３回連続の処理の処理であると判定された場合には、先ずステップＳ１９でタイマａをスタートさせ、ステップＳ２０で警報を発生する。その警報は、警報ブザー２５を介して発生させ、表示部２７には図１５（ａ）で示されるメッセージが表示される。そして、この状態（システムロックされた状態）において管理者によるＯＰキー（不図示）の入力（ステップＳ２１でＹ）、又は、タイマａのタイムアウト（ステップＳ２１でＮ、ステップＳ２２でＹ）で警報が解除され（ステップＳ２３）、ステップＳ２のモード選択の待機状態に移行する。これに対し管理者によるＯＰキーの入力がなく（ステップＳ２１でＮ）、タイマａのタイムアウト（ステップＳ２２でＮ）とならない場合には、再度ステップＳ２１の判定を行うことになる。
【００４５】
続いて、上記各種サブルーチンを説明する。
先ず、ステップＳ３の扉番号入力処理（ステップＳ１０の扉番号入力処理も同じ）について説明すると、そのフローチャートは、図８に示されるような構成であり、利用者の操作性を考慮して扉番号の入力可能桁数の完全一致でなくとも扉番号の認識がなされるようになっている。
【００４６】
扉番号入力処理のサブルーチンが実行されると、ステップＳ２４で初期設定を行う。その初期設定では、後述するタイマｂや桁数カウンタ等がリセット（クリア）される。
【００４７】
次に、扉番号の入力間隔時間を判断基準の一つにするため、ステップＳ２５でタイマｂをスタートさせる。その後、扉番号の入力が有ると（ステップＳ２６でＹ）ステップＳ２７へ進行し、一旦タイマｂをリセットする。そして、ステップＳ２８でその入力された入力番号を不揮発性メモリ（ＮＶＭ）２８に記憶させ、ステップＳ２９で再度タイマｂをスタートさせる。
尚、不揮発性メモリ（ＮＶＭ）２８の扉番号に対する記憶エリアには、初期状態において、後述する二桁全てに０が格納されているものとする。
【００４８】
その後、確認キー１３ｇが押されれば（ステップＳ３０でＹ）、入力した扉番号を確定してステップＳ３７へ進行する。これに対し確認キー１３ｇが押されない場合には（ステップＳ３０でＮ）、ステップＳ３１で桁数カウンタを一つカウントアップする。
【００４９】
尚、桁数カウンタは、本形態の物品収納ロッカー１１のボックス数が３６ボックスとなることから一の位と十の位の二桁、即ちその二桁までカウントするようになっており、扉番号の何桁目の入力がなされたかを把握できるようになっている。
【００５０】
続いて、ステップＳ３２で入力番号が二桁目であるかどうかを判定する。ステップＳ３２の判定がＹ、即ち入力番号が二桁目である場合には入力した扉番号が確定されてステップＳ３７へ進行する。逆に一桁目の場合では（ステップＳ３２でＮ）更に入力があり得るため再度ステップＳ２６を実行する。
【００５１】
一方、ステップＳ２６で扉番号の入力がないと判定された場合には（ステップＳ２６でＮ）、ステップＳ３３に進行して桁数カウンタが０で有るかどうかを判定する。そして、ステップＳ３３の判定がＹとなる桁数カウンタ＝０、即ち扉番号の入力が今だない状態にある場合には、ステップＳ３４に進行してタイマｂがタイムアウトしているかどうかを判定する。また、これに対して桁数カウンタがカウントアップされている場合（ステップＳ３３でＮ）、ステップＳ３６に進行して同様にタイマｂがタイムアウトしているかどうかを判定する。
【００５２】
ステップＳ３４の判定でタイマｂがタイムアウトしていない場合には（ステップＳ３４でＮ）、更に入力があり得るため再度ステップＳ２６を実行する。タイマｂがタイムアウトしている場合には（ステップＳ３４でＹ）、ステップＳ３５へ進行する。
【００５３】
ステップＳ３５ではフラグＡに１を立てる処理を行う。これは、タイマｂの作動時間内に扉番号の入力がなされなかったため、入力エラーを後処理に伝達する処理である。ステップＳ３５が終了するとメインルーチンへリターンする。
【００５４】
一方、ステップＳ３６の判定でタイマｂがタイムアウトしていない場合には（ステップＳ３６でＮ）、更に入力があり得るため再度ステップＳ２６を実行する。これに対しタイマｂがタイムアウトしている場合には（ステップＳ３６でＹ）、少なくとも扉番号が一桁入力されていることから、その入力した扉番号を確定し、ステップＳ３７へ進行する。
【００５５】
ステップＳ３７では扉番号を不揮発性メモリ（ＮＶＭ）２８に記憶させる処理を行う。尚、扉番号が不揮発性メモリ（ＮＶＭ）２８に記憶されることにより、マイコン２１はその扉番号を基にして制御を行うことになる。
ステップＳ３７が終了するとメインルーチンへリターンする。
【００５６】
以上説明したように、扉番号入力処理のサブルーチンでは次のような三つの入力方法を採用していることになる。
【００５７】
即ち、一つ目は従来通りの方法で、二桁（入力可能桁数であり、本形態では二桁の意味）の入力があった時点で扉番号を確定する方法である。二つ目は確認キー１３ｇの押下でそれまでの入力番号（一桁以上かつ入力可能桁数未満）を扉番号として確定する方法である。また、三つ目はインターバルタイマとして作動するタイマｂのタイムアウトにより、それまでの入力番号（一桁以上かつ入力可能桁数未満）を扉番号として確定する方法である。
これらの入力方法を採用（少なくとも二つ）することにより、利用者に対する操作性が従来と比べて格段に向上することになる。
【００５８】
次に、ステップＳ６のＩＤ入力処理（ステップＳ１３のＩＤ入力処理も同じ）について説明する。そのフローチャートは、図９に示されるような構成となっている。
【００５９】
ＩＤ入力処理のサブルーチンが実行されると、ステップＳ３８で初期設定を行う。その初期設定では、後述するタイマｃや桁数カウンタ（上述の扉番号入力処理における桁数カウンタとは別である）等がリセット（クリア）される。
【００６０】
次に、暗証番号の入力間隔時間を判断基準の一つにするため、ステップＳ３９でタイマｃをスタートする。その後、暗証番号に対する番号の入力が有ると（ステップＳ４０でＹ）ステップＳ４１へ進行し、一旦タイマｃをリセットする。そして、ステップＳ４２でその入力された入力番号を不揮発性メモリ（ＮＶＭ）２８に記憶させ、ステップＳ４３で再度タイマｃをスタートする。
尚、不揮発性メモリ（ＮＶＭ）２８の暗証番号に対する記憶エリアには、初期状態において、後述する四桁全てに０が格納されているものとする。
【００６１】
その後、確認キー１３ｇが押されれば（ステップＳ４４でＹ）、入力番号を確定してステップＳ５１へ進行する。これに対し確認キー１３ｇが押されない場合には（ステップＳ４４でＮ）、ステップＳ４５で桁数カウンタを一つカウントアップする。
【００６２】
尚、桁数カウンタは、本形態の暗証番号の入力可能桁数が四桁であるとするとその四桁までカウントするようになっており、暗証番号の何桁目までの入力がなされたかを把握できるようになっている。
【００６３】
続いて、ステップＳ４６で入力番号が四桁目であるかどうかを判定する。ステップＳ４６の判定がＹ、即ち入力番号が四桁目である場合には入力番号が確定されてステップＳ５１へ進行する。逆に四桁未満の場合では（ステップＳ４６でＮ）更に入力があり得るため再度ステップＳ４０を実行する。
【００６４】
一方、ステップＳ４０で暗唱番号に対する番号の入力がないと判定された場合には（ステップＳ４０でＮ）、ステップＳ４７に進行して桁数カウンタが０で有るかどうかを判定する。そして、ステップＳ４７の判定がＹとなる桁数カウンタ＝０、即ち暗唱番号の入力が今だない状態にある場合には、ステップＳ４８に進行してタイマｃがタイムアウトしているかどうかを判定する。また、これに対して桁数カウンタがカウントアップされている場合（ステップＳ４７でＮ）も、ステップＳ５０に進行してタイマｃがタイムアウトしているかどうかを判定する。
【００６５】
ステップＳ４８の判定でタイマｃがタイムアウトしていない場合には（ステップＳ４８でＮ）、更に入力があり得るため再度ステップＳ４０を実行する。タイマｃがタイムアウトしている場合には（ステップＳ４８でＹ）、ステップＳ４９へ進行する。
【００６６】
ステップＳ４９ではフラグＢに１を立てる処理を行う。これは、タイマｃの作動時間内に暗唱番号の入力がなされなかったため、入力エラーを後処理に伝達する処理である。ステップＳ４９が終了するとメインルーチンへリターンする。
【００６７】
一方、ステップＳ５０の判定でタイマｃがタイムアウトしていない場合には（ステップＳ５０でＮ）、更に入力があり得るため再度ステップＳ４０を実行する。これに対しタイマｃがタイムアウトしている場合には（ステップＳ５０でＹ）、少なくとも暗証番号に対する番号が一桁入力されていることから、その入力された暗唱番号を確定し、ステップＳ５１へ進行する。
【００６８】
ステップＳ５１では暗唱番号を不揮発性メモリ（ＮＶＭ）２８に記憶させる処理を行う。ステップＳ５１が終了するとメインルーチンへリターンする。
【００６９】
以上説明したように、ＩＤ入力処理のサブルーチンでは扉番号入力処理と同様の三つの入力方法を採用している（従来同様に四桁（入力可能桁数）全ての入力で暗証番号を確定する方法を採ってもよいのは当然である）。
【００７０】
続いて、ステップＳ９の預け入れ処理について説明する。そのフローチャートは、図１０及び図１１に示されるような構成となっている。
【００７１】
預け入れ処理のサブルーチンが実行されると、先ずステップＳ５２でボックス１２の施錠状態が解除されて解錠状態になったか否かを判定する（預け入れ処理のサブルーチンが実行されるのと同時、又は直前にマイコン２１が解錠信号を生成して電気錠１６を作動させる）。ボックス１２の解錠がなされていない場合には（ステップＳ５２でＮ）、ステップＳ５３の警報・処置の処理へ進行する（解錠のリトライは当然に行う）。これに対しボックス１２の解錠がなされていれば（ステップＳ５２でＹ）、ステップＳ５４の処理へ進行する。
【００７２】
ステップＳ５３の警報・処置の処理では、図１６（ａ）で示されるメッセージを表示部２７に表示させるとともに、警報ブザー２５を介して警報を発生させる。そして、該当のボックス１２を使用禁止ボックスにし、履歴に残しておく。また、暗証番号は使用禁止状態の解除まで保存（記憶）しておく。さらに、施錠表示ランプ（ＬＥＤ）２０を点灯させる。ステップＳ５３の処理が終了するとメインルーチンへリターンする。
【００７３】
一方、ボックス１２の解錠がなされると（ステップＳ５２でＹ）、ステップＳ５４でその解錠をトリガーにしたタイマＡをスタートさせ、ステップＳ５５で扉１７が開いたか否かを判定する。扉１７が開いてない場合には（ステップＳ５５でＮ）ステップＳ５６へ進行し、扉１７が開いていれば（ステップＳ５５でＹ）ステップＳ６０へ進行する。
【００７４】
尚、電気錠１６が作動し、ボックス１２の解錠がなされると、施錠表示ランプ（ＬＥＤ）２０が点滅するとともに、警報ブザー２５（これとは別のアラームを設けてもよい）を介して利用者に注意を促すブザー音を発生させるようになっている。また、この時、表示部２７には図１７（ａ）で示されるメッセージが表示される。
【００７５】
ステップＳ５６では、ステップＳ５４でスタートさせたタイマＡがタイムアウトしているか否かを判定する。タイムアウトしていなければ（ステップＳ５６でＮ）再度ステップＳ５５を実行し、タイムアウトの場合には（ステップＳ５６でＹ）マイコン２１の制御により該当するボックス１２の施錠を行う（不図示）。そして、その施錠の有無をステップＳ５７で判定する。施錠がなされていれば（ステップＳ５７でＹ）ステップＳ５８に進行し、施錠ができなければ（ステップＳ５７でＮ）ステップＳ５９へ進行する。どちらもメインルーチンへリターンする。
【００７６】
ステップＳ５８の処置では、該当するボックス１２を使用可能ボックスにするとともに、ブザー音を停止する処置を行う。また、施錠表示ランプ（ＬＥＤ）２０を点灯状態に戻す処置もあわせて行う。
【００７７】
ステップＳ５９の警報・処置では、警報ブザー２５を介して警報を発生させるとともに、該当するボックス１２を使用禁止ボックスにする。また、履歴に残し、暗証番号は使用禁止の状態が解除されるまで保存する。さらには、施錠表示ランプ（ＬＥＤ）２０を点灯状態に戻す処置もあわせて行う。
【００７８】
一方、扉１７が開いている場合には（ステップＳ５５でＹ）、ステップＳ６０でその扉１７の開状態をトリガーにしてタイマＢをスタートさせる。この時、表示部２７には図１７（ｂ）で示されるメッセージが表示される。
【００７９】
タイマＢをスタート後、荷物センサー２３の検知信号に基づきステップＳ６１でボックス１２内の荷物の有無を判定する。ボックス１２内に荷物が入れられている場合には（ステップＳ６１でＹ）ステップＳ６２へ進行し、荷物がない場合には（ステップＳ６１でＮ）ステップＳ６３の処理を実行する。
【００８０】
ステップＳ６２では、ブザー音を停止する処置を行うとともに、施錠表示ランプ（ＬＥＤ）２０を点滅させる処置を行う。この時、表示部２７には図１７（ｃ）で示されるメッセージが表示される。尚、ここで荷物センサー２３による荷物有りの検知信号をトリガーにして別なタイマを作動させることも可能である。
【００８１】
ステップＳ６３では、施錠表示ランプ（ＬＥＤ）２０を点滅させる処置を行う。尚、ブザー音は継続する。
【００８２】
その後、ステップＳ６４で扉１７が閉められたか否かを判定する。扉１７が閉められていなければ（ステップＳ６４でＮ）ステップＳ６５へ進行し、扉１７が閉められれば（ステップＳ６４でＹ）ステップＳ７０へ進行する。
【００８３】
ステップＳ６５では、ステップＳ６０でスタートさせたタイマＢがタイムアウトしているか否かを判定する。タイムアウトしていなければ（ステップＳ６５でＮ）再度ステップＳ６１の処理を実行する。これに対しタイマＢがタイムアウトしている場合には（ステップＳ６５でＹ）、ステップＳ６６に進行してボックス１２内の荷物の有無を判定する。
【００８４】
ボックス１２内に荷物がなければ（ステップＳ６６でＮ）ステップＳ６７に進行し、荷物がある場合には（ステップＳ６６でＹ）ステップＳ６９へ進行する。
【００８５】
ステップＳ６７では、その後扉１７が閉められたか否かを判定する。そして、扉１７が閉められるまで待機し（ステップＳ６７でＮ）、扉１７が閉められると（ステップＳ６７でＹ）ステップＳ６８へ進行する。
【００８６】
ステップＳ６８の処置では、ボックス１２を未使用ボックスと判断し、そのボックス１２の施錠を行う。また、施錠表示ランプ（ＬＥＤ）２０を消灯するとともに、ブザー音を停止する。そして、メインルーチンへリターンする。
【００８７】
ボックス１２内に荷物があって、所定時間を超過して長時間扉１７が開いている場合、即ちステップＳ６６でＹと判定された場合には、ステップＳ６９の警報・処置を行う。その警報・処置では、警報ブザー２５を介して警報を発生させるとともに、該当するボックス１２を使用禁止ボックスにする。また、履歴に残し、暗証番号は使用禁止の状態が解除されるまで保存する。さらには、施錠を行うとともに、施錠表示ランプ（ＬＥＤ）２０を点灯状態に戻す処置もあわせて行う。そして、メインルーチンへリターンする。
【００８８】
一方、ステップＳ６４で扉１７が閉められたと判定された場合（ステップＳ６４でＹ）に進行するステップＳ７０では、ボックス１２内の荷物の有無を判定を行う。そして、ボックス１２内に荷物がなければ（ステップＳ７０でＮ）ステップＳ７１へ進行し、荷物があるようであれば（ステップＳ７０でＹ）ステップＳ７５へ進行する。
【００８９】
ステップＳ７１では、ステップＳ６０でスタートさせたタイマＢがタイムアウトしているか否かを判定する。タイムアウトしていなければ（ステップＳ７１でＮ）再度ステップＳ５４の処理を実行し、タイマＢがタイムアウトしている場合には（ステップＳ７１でＹ）、マイコン２１が施錠信号を生成してボックス１２の施錠を行うとともに、ステップＳ７２でその施錠状態を判定する。
【００９０】
そして、ステップＳ７２の判定により施錠がなされていれば（ステップＳ７２でＹ）ステップＳ７３へ進行し、施錠がなされてなければ（ステップＳ７２でＮ）ステップＳ７４へ進行する。
【００９１】
ステップＳ７３では、該当するボックス１２を未使用状態にし、履歴を残すとともに施錠表示ランプ（ＬＥＤ）２０を消灯する。その後、メインルーチンへリターンする。
【００９２】
ステップＳ７４では、該当するボックス１２を使用禁止ボックスにし、その履歴を残す。また、暗証番号を使用禁止状態の解除があるまで保存し、施錠表示ランプ（ＬＥＤ）２０を点灯状態にする。その後、メインルーチンへリターンする。
【００９３】
一方、ステップＳ７０でボックス１２内に荷物があると判定されて実行するステップＳ７５では、該当するボックス１２が施錠されているか否かを判定する（ステップＳ７０の判定後、マイコン２１が施錠信号を生成して該当するボックス１２の施錠を行う（ブザー音の停止も行われる）ようになっている）。
【００９４】
そして、施錠がされてなければ（ステップＳ７５でＮ）ステップＳ７６に進行し（マイコン２１の制御により施錠のリトライは当然に行われるものとする）、施錠されている場合には（ステップＳ７５でＹ）ステップＳ７７へ進行する。
【００９５】
ステップＳ７６の警報・処置では、表示部２７に図１６（ａ）で示されるメッセージを表示するとともに、警報ブザー２５を介して警報を発生させる処置を行う。そして、該当するボックス１２を使用禁止ボックスにするとともに、その履歴を残して施錠表示ランプ（ＬＥＤ）２０を点灯する。また、暗証番号を使用禁止状態の解除まで保存する。その後、メインルーチンへリターンする。
【００９６】
一方、ステップＳ７５により施錠がなされていると判定された場合にはステップＳ７５でＹ）、表示部２７に図１７（ｄ）で示されるメッセージを表示する。
【００９７】
そして、ステップＳ７７に進行し、レシートへのプリントが正常になされたか否かを判定する。プリントがＮＧであれば（ステップＳ７７でＮ）ステップＳ７８へ進行し、その後メインルーチンへリターンする。正常なプリントが行われれば（ステップＳ７７でＹ）ステップＳ７９へ進行する。
【００９８】
ステップＳ７８の警報・処置では、表示部２７に図１６（ｂ）で示されるメッセージを表示するとともに、警報ブザー２５を介して警報を発生させる処置を行う。そして、該当するボックス１２を使用禁止ボックスにするとともに、その履歴を残して施錠表示ランプ（ＬＥＤ）２０を点灯する。また、暗証番号を使用禁止状態の解除まで保存する
【００９９】
一方、正常なプリントが行われた場合には（ステップＳ７７でＹ）、表示部２７に図１６（ｂ）で示されるメッセージを表示し、ステップＳ７９を実行する。ステップＳ７９では、荷物の滞留を監視するためタイマＤをスタートさせる。その後はメインルーチンへリターンする。
【０１００】
以上説明したように、預け入れ処理では、ボックス１２内に荷物がある場合に扉１７を閉めると、確実にそのボックス１２の施錠がなされるようになっている。従って、従来の物品収納ロッカーに比べ防盗性が格段に向上していると言うことかできる。
【０１０１】
続いて、ステップＳ１６の取り出し処理について説明する。そのフローチャートは、図１２及び図１３に示される如くの構成となっている。尚、上述の預け入れ処理においてスタートさせたタイマＤにより判定することになる荷物の滞留に関しては省略する。
【０１０２】
取り出し処理のサブルーチンが実行されると、先ずステップＳ８０でボックス１２の施錠状態が解除されて解錠状態になったか否かを判定する（取り出し処理のサブルーチンが実行されるのと同時、又は直前にマイコン２１が解錠信号を生成して電気錠１６を作動させる）。ボックス１２の解錠がなされていない場合には（ステップＳ８０でＮ）、ステップＳ８１の警報・処置の処理へ進行する（解錠のリトライは当然に行う）。これに対しボックス１２の解錠がなされていれば（ステップＳ８０でＹ）、ステップＳ８２の処理へ進行する。
【０１０３】
ステップＳ８１の警報・処置の処理では、図１６（ｂ）で示されるメッセージを表示部２７に表示させるとともに、警報ブザー２５を介して警報を発生させる。そして、該当のボックス１２を使用禁止ボックスにし、履歴に残しておく。また、暗証番号は使用禁止状態の解除まで保存（記憶）しておく。ステップＳ８１の処理が終了するとメインルーチンへリターンする。
【０１０４】
一方、ボックス１２の解錠がなされると（ステップＳ８０でＹ）、ステップＳ８２でその解錠をトリガーにしたタイマＡをスタートさせ、ステップＳ８３で扉１７が開いたか否かを判定する。扉１７が開いてない場合には（ステップＳ８３でＮ）ステップＳ８４へ進行し、扉１７が開いていれば（ステップＳ８３でＹ）ステップＳ８８へ進行する。
【０１０５】
尚、電気錠１６が作動し、ボックス１２の解錠がなされると、施錠表示ランプ（ＬＥＤ）２０が点滅するとともに、警報ブザー２５（これとは別のアラームを設けてもよい）を介して利用者に注意を促すブザー音を発生させるようになっている。また、この時、表示部２７には図１８（ａ）で示されるメッセージが表示される。
【０１０６】
ステップＳ８４では、ステップＳ８２でスタートさせたタイマＡがタイムアウトしているか否かを判定する。タイムアウトしていなければ（ステップＳ８４でＮ）再度ステップＳ８３を実行し、タイムアウトの場合には（ステップＳ８４でＹ）マイコン２１の制御により該当するボックス１２の施錠を行う（不図示）。そして、その施錠の有無をステップＳ８５で判定する。施錠がなされていれば（ステップＳ８５でＹ）ステップＳ８６に進行し、施錠ができなければ（ステップＳ８５でＮ）ステップＳ８７へ進行する。どちらもメインルーチンへリターンする。
【０１０７】
ステップＳ８６の処置では、該当するボックス１２を使用継続中ボックスに戻すとともに、ブザー音を停止する処置を行う。また、施錠表示ランプ（ＬＥＤ）２０を点灯状態に戻す処置もあわせて行う。
【０１０８】
ステップＳ８７の警報・処置では、警報ブザー２５を介して警報を発生させるとともに、該当するボックス１２を使用禁止ボックスにする。また、履歴に残し、暗証番号は使用禁止の状態が解除されるまで保存する。さらには、施錠表示ランプ（ＬＥＤ）２０を点灯状態に戻す処置もあわせて行う。
【０１０９】
一方、扉１７が開いている場合には（ステップＳ８３でＹ）、ステップＳ８８でその扉１７の開状態をトリガーにしてタイマＣをスタートさせる。また、ステップＳ８９で同様にタイマＢをスタートさせる。この時、表示部２７には引き続き図１７（ｂ）で示されるメッセージが表示される。
【０１１０】
タイマＢのスタート後、荷物センサー２３の検知信号に基づきステップＳ９０でボックス１２内の荷物の有無を判定する。ボックス１２内に荷物が入れられている場合には（ステップＳ９０でＹ）ステップＳ９１へ進行し、荷物がない場合には（ステップＳ９０でＮ）ステップＳ９２の処理を実行する。
【０１１１】
ステップＳ９１では、ブザー音を停止する処置を行うとともに、施錠表示ランプ（ＬＥＤ）２０を点滅させる処置を行う。この時、表示部２７には図１８（ｂ）で示されるメッセージが表示される。尚、ここで荷物センサー２３による荷物有りの検知信号をトリガーにして別なタイマを作動させることも可能である。
【０１１２】
ステップＳ９２では、施錠表示ランプ（ＬＥＤ）２０を点滅させる処置を行う。尚、ブザー音は継続する。
【０１１３】
その後、ステップＳ９３で扉１７が閉められたか否かを判定する。扉１７が閉められていなければ（ステップＳ９３でＮ）ステップＳ９４へ進行し、扉１７が閉められれば（ステップＳ９３でＹ）ステップＳ９９へ進行する。
【０１１４】
ステップＳ９４では、ステップＳ８９でスタートさせたタイマＢがタイムアウトしているか否かを判定する。タイムアウトしていなければ（ステップＳ９４でＮ）再度ステップＳ９０の処理を実行する。これに対しタイマＢがタイムアウトしている場合には（ステップＳ９４でＹ）、ステップＳ９５に進行してボックス１２内の荷物の有無を判定する。
【０１１５】
ボックス１２内に荷物がなければ（ステップＳ９５でＮ）ステップＳ９６へ進行し、荷物がある場合には（ステップＳ９５でＹ）ステップＳ９８へ進行する。
【０１１６】
ステップＳ９６では、その後扉１７が閉められたか否かを判定する。そして、扉１７が閉められるまで待機し（ステップＳ９６でＮ）、扉１７が閉められると（ステップＳ９６でＹ）ステップＳ９７へ進行する。
【０１１７】
ステップＳ９７の処置では、ボックス１２を未使用ボックスと判断し、そのボックス１２の施錠を行うとともに、施錠表示ランプ（ＬＥＤ）２０を消灯する。その後、メインルーチンへリターンする。
【０１１８】
ボックス１２内に荷物があって、所定時間を超過して長時間扉１７が開いている場合、即ちステップＳ９５でＹと判定された場合には、ステップＳ９８の警報・処置を行う。その警報・処置では、警報ブザー２５を介して警報を発生させるとともに、該当するボックス１２を使用禁止ボックスにする。また、履歴に残し、暗証番号は使用禁止の状態が解除されるまで保存する。その後、メインルーチンへリターンする。
【０１１９】
一方、ステップＳ９３で扉１７が閉められたと判定された場合（ステップＳ９３でＹ）に進行するステップＳ９９では、ボックス１２内の荷物の有無を判定を行う。そして、ボックス１２内に荷物がなければ（ステップＳ９９でＮ、ここで再度の預け入れが可能な状態になる）ステップＳ１００へ進行し、荷物があるようであれば（ステップＳ９９でＹ）ステップＳ１０２へ進行する。
【０１２０】
ステップＳ１００では、ステップＳ８８でスタートさせたタイマＣがタイムアウトしているか否かを判定する。タイムアウトしていれば（ステップＳ１００でＹ）、取り出し完了と判断してステップＳ１０２へ進行し、タイマＣがタイムアウトしていない場合には（ステップＳ１００でＮ）ステップＳ１０１へ進行する。
【０１２１】
ステップＳ１０１では再度扉１７が開けられたか否かを判定し、扉１７が開かれた場合には（ステップＳ１０１でＹ）再度ステップＳ８９の処理を実行する。これに対して扉１７が閉まった状態では（ステップＳ１０１でＮ）再度ステップＳ９９の処理を実行し、所定時間内での再度の預け入れがあるのを待機する。
【０１２２】
一方、ステップＳ９９でボックス１２内に荷物があると判定した場合には（ステップＳ９９でＹ）、マイコン２１が施錠信号を生成してボックス１２の施錠を行う（ブザー音の停止も行われる）とともに、ステップＳ１０２でその施錠状態を判定する。
【０１２３】
そして、ステップＳ１０２の判定により施錠がなされていれば（ステップＳ１０２でＹ）、表示部２７に図１６（ｃ）で示されるメッセージを表示してメインルーチンへリターンする。これに対し施錠がなされてなければ（ステップＳ１０２でＮ）ステップＳ１０３へ進行する。
【０１２４】
ステップＳ１０３の警報・処置では、表示部２７に図１６（ｂ）で示されるメッセージを表示するとともに、警報ブザー２５を介して警報を発生させる処置を行う。そして、該当するボックス１２を施錠して使用禁止ボックスにするとともに、その履歴を残して施錠表示ランプ（ＬＥＤ）２０を点灯する。また、暗証番号を使用禁止状態の解除まで保存する。その後、メインルーチンへリターンする。
【０１２５】
以上説明したように、取り出し処理においてもボックス１２内に荷物がある場合には、扉１７の閉操作により確実にそのボックス１２の施錠がなされるようになっている。従って、従来の物品収納ロッカーに比べ防盗性が格段に向上していると言うことかできる。
【０１２６】
また、ボックス１２から荷物が取り出され、荷物センサー２３が荷物無し状態を検知した際には、マイコン２１がタイマＣの作動期間中、使用状態の継続とみなして預け入れの待機をし、再度荷物を預け入れられるようになっている。そして、荷物をボックス１２内に入れれば、上述の如く、荷物センサー２３が荷物の検知をして確実に施錠がなされるので、再度の預け入れであっても確実に荷物の保管をすることができる。
【０１２７】
その他、本発明は本発明の主旨を変えない範囲で種々変更実施可能なことは勿論である。
【０１２８】
【発明の効果】
以上説明したように、請求項１に記載された本発明によれば、物品収納ロッカーは、入力された数字の桁数が扉番号及び暗証番号の入力設定のために予め用意された入力可能桁数と完全に一致したとき、一桁以上かつ入力可能桁数未満の数字が入力され所定時間が経過したとき、一桁以上かつ入力可能桁数未満の桁数の入力された数字を確定する確認入力があったときの何れかの場合にも扉番号と暗証番号とが入力設定されたとして解錠信号を生成し、扉を閉めた際にボックス内に荷物があることを検知して施錠信号を生成するので、３通りの仕方の何れで数字が入力されても入力設定が行われるようになって利用者に対する操作性の向上を図ることが可能であるとともに、例えば従来のように利用者が誤って物品収納ロッカーから離れてしまった場合でも、確実に荷物を保管することができる。
従って、ボックスの扉を閉めた後、そのボックス内に荷物がある場合には、確実に施錠がなされることになり、その結果、防盗性が格段に高まった操作性の良い物品収納ロッカーを提供することができるという効果を奏する。
【０１２９】
請求項２に記載された本発明によれば、物品収納ロッカーは、ボックスから荷物が取り出され、荷物有無検知手段が荷物無し状態を検知した際に、制御手段がタイマの作動期間中、再度荷物有り状態を検知したときに荷物を継続して保管するようになっていることから、再度荷物を預け入れることができるという効果を奏する。
また、荷物をボックス内に入れれば、上述の如く、荷物有無検知手段が荷物の検知をして確実に施錠がなされるので、再度の預け入れであっても確実に荷物の保管をすることができるという効果を奏する。
【０１３０】
請求項３に記載された本発明によれば、上記タイマは、電気錠に対する解錠信号、扉開閉検知手段の扉開状態の検知信号、荷物有無検知手段の荷物無し状態の検知信号の少なくともいずれかに基づいて作動することから、上述の効果の他に、預け入れの待機方法や防盗対策に幅を持たせることができるという効果も奏する。
【０１３１】
請求項４に記載された本発明によれば、物品収納ロッカーは、荷物有無検知手段の検知信号に基づいて、荷物の有無を利用者に認識させる荷物有無認識手段を更に備えていることから、利用者に注意を促すことができる。
従って、利用者は荷物有無認識手段により荷物の有無を把握し、荷物の預け入れ及び取り出しをより確実に行うことができるという効果を奏する。
【図面の簡単な説明】
【図１】本発明による物品収納ロッカーの基本構成図である。
【図２】本発明の物品収納ロッカーの一実施の形態を示す正面図である。
【図３】図２の一ボックスの扉を開いた際の状態説明図である。
【図４】図２の入力設定表示部の説明図である。
【図５】図２の制御部を説明するためのブロック図である。
【図６】図５のＲＯＭに格納された制御プログラムのメインルーチンを示すフローチャートである。
【図７】図６のフローチャートの一部である。
【図８】図６の扉番号入力処理のフローチャートである。
【図９】図６のＩＤ入力処理のフローチャートである。
【図１０】図６の預け入れ処理のフローチャートである。
【図１１】図１０のフローチャートの一部である。
【図１２】図６の取り出し処理のフローチャートである。
【図１３】図１０のフローチャートの一部である。
【図１４】図４の表示エリアに表示されるメッセージであり、図６のフローチャートにかかる（ａ）、（ｂ）二つのメッセージである。
【図１５】図４の表示エリアに表示されるメッセージであり、図７のフローチャートにかかる（ａ）、（ｂ）二つのメッセージである。
【図１６】図４の表示エリアに表示されるメッセージであり、図８ないし図１３のフローチャートにかかる（ａ）〜（ｃ）三つのメッセージである。
【図１７】図４の表示エリアに表示されるメッセージであり、図１０及び図１１のフローチャートにかかる（ａ）〜（ｄ）四つのメッセージである。
【図１８】図４の表示エリアに表示されるメッセージであり、図１２及び図１３のフローチャートにかかる（ａ）、（ｂ）二つのメッセージである。
【図１９】従来例の物品収納ロッカーの正面図である。
【符号の説明】
１１            物品収納ロッカー
１２            ボックス
１３            入力設定表示部
１３Ａ          タッチパネル
１３ｇ          確認キー
１４            プリンタ装置
１５            制御部
１６            電気錠
１７            扉
１８            扉開閉用摘み
２０            施錠表示ランプ（ＬＥＤ）
２１            マイコン（制御手段）
２１ａ          ＣＰＵ
２１ｂ          ＲＡＭ
２１ｃ          ＲＯＭ
２２            扉センサー（扉開閉検知手段）
２３            荷物センサー（荷物有無検知手段）
２４            タイマ
２５            警報ブザー（荷物有無認識手段）
【図１】
0004213278.tif 000002
【図２】
0004213278.tif 000003
【図３】
0004213278.tif 000004
【図４】
0004213278.tif 000005
【図５】
0004213278.tif 000006
【図６】
0004213278.tif 000007
【図７】
0004213278.tif 000008
【図８】
0004213278.tif 000009
【図９】
0004213278.tif 000010
【図１０】
0004213278.tif 000011
【図１１】
0004213278.tif 000012
【図１２】
0004213278.tif 000013
【図１３】
0004213278.tif 000014
【図１４】
0004213278.tif 000015
【図１５】
0004213278.tif 000016
【図１６】
0004213278.tif 000017
【図１７】
0004213278.tif 000018
【図１８】
0004213278.tif 000019
【図１９】
0004213278.tif 000020